(57)【要約】    【課題】      二次元位置情報入力装置を用いることなく簡単にシーク位置の選択操作が行えるとともに、マルチメディアデータが一度に表示できない程に多数である場合でも簡単に選択操作可能に表示できるようにすること。    【解決手段】  除算部１０４は入力される総再生時間情報を整数値１０で除算し、乗算部１０６に出力する。乗算部１０６は、除算部１０４の出力値にユーザが数字キー入力部１０５にて選択した数字キーの値を乗算し、シーク位置入力部１０７に出力する。マルチメディア再生部１０２は、データ入力部１０１から入力されるマルチメディアデータに対し再生、再生停止、一時停止、再生再開、シークなどの操作を提供するが、ユーザは、数字キー入力部１０５にて値０から値９までの数字キーを選ぶことによりマルチメディア再生部１０２でのシーク開始位置を選択することができる。  【選択図】      図１
2005159664.tif 000002
【特許請求の範囲】
【請求項１】
動画・静止画・音声・文字列等の１つ以上からなるマルチメディアデータを入力するデータ入力手段と、
前記データ入力手段から入力されたマルチメディアデータに対して再生・再生停止・一時停止・再生再開・シークなどの操作を提供するマルチメディア再生手段と、
前記マルチメディア再生手段からの総再生時間情報を定数２から定数１０のいずれか１つの定数で除算する除算手段と、
０から前記定数−１までの整数を入力する数字キー入力手段と、
前記除算手段での除算値に前記数字キー入力手段からの入力値を乗算する乗算手段と、
前記乗算手段での乗算値に基づき前記マルチメディア再生手段にシーク要求を行うシーク位置入力手段と、を具備することを特徴とするマルチメディア再生装置。
【請求項２】
動画・静止画・音声・文字列等の１つ以上からなるマルチメディアデータを入力するデータ入力手段と、
前記データ入力手段から入力されたマルチメディアデータに対して再生・再生停止・一時停止・再生再開・シークなどの操作を提供するマルチメディア再生手段と、
分割無しと、分割有りの分割指示を出力する分割指示手段と、
入力値を定数２から定数１０のいずれか１つの定数で除算する除算手段と、
前記除算手段での除算値を保持出力する情報保持手段と、
前記分割指示が分割無しであるとき前記マルチメディア再生手段からの総再生時間情報を前記除算手段への入力値として選択し、前記分割指示が分割有りであるとき前記情報保持手段の保持値を前記除算手段への入力値として選択する入力選択手段と、
０から前記定数−１までの整数を入力する数字キー入力手段と、
前記除算手段での除算値に前記数字キー入力手段からの入力値を乗算する乗算手段と、
前記分割指示が分割無しであるとき前記乗算手段の乗算値をそのまま出力し、前記分割指示が分割有りであるとき前記乗算手段の乗算値に前記分割有りに切り替わる直前の出力値を加算する加算手段と、
前記加算手段の出力値に基づき前記マルチメディア再生手段にシーク要求を行うシーク位置入力手段と、を具備することを特徴とするマルチメディア再生装置。
【請求項３】
動画・静止画・音声・文字列等の１つ以上からなるマルチメディアデータを入力するデータ入力手段と、
前記データ入力手段から入力されたマルチメディアデータに対して再生・再生停止・一時停止・再生再開・シークなどの操作を提供するマルチメディア再生手段と、
前方分割無しと、後方分割無しと、前方分割有りと後方分割有りの各分割指示を出力する分割指示手段と、
入力値を定数２から定数１０のいずれか１つの定数で除算する除算手段と、
前記分割指示が前方分割有りと後方分割有りであるとき前記除算手段での除算値を逐一保持出力する一方、前記分割指示が前方分割無しと、後方分割無しであるとき前記除算手段での初回除算値を保持出力する第１情報保持手段と、
前記分割指示が前方分割有りと後方分割有りであるとき前記マルチメディア再生手段からの総再生時間情報を前記除算手段への入力値として選択し、前記分割指示が前方分割有りと後方分割有りであるとき前記第１情報保持手段の保持値を前記除算手段への入力値として選択する入力選択手段と、
０から前記定数−１までの整数を入力する数字キー入力手段と、
前記除算手段での除算値に前記数字キー入力手段からの入力値を乗算する乗算手段と、
前記分割指示が前方分割無しと、後方分割無しであるとき前記乗算手段の乗算値をそのまま出力し、前記分割指示が前方分割有りであるとき前記乗算手段の乗算値に入力値を加算して出力し、前記分割指示が後方分割有りであるとき前記乗算手段の乗算値から入力値を減算して出力する加減算手段と、
前記分割指示が前方分割有りと後方分割有りであるとき前記加減算手段の出力値を逐一保持し前記加減算手段への入力値として出力する一方、前記分割指示が前方分割無しと、後方分割無しであるとき前記加減算手段の初回出力値を保持する第２情報保持手段と、
前記加減算手段の出力値に基づき前記マルチメディア再生手段にシーク要求を行うシーク位置入力手段と、を具備することを特徴とするマルチメディア再生装置。
【請求項４】
動画・静止画・音声・文字列等の１つ以上からなるマルチメディアデータの一覧情報を入力するデータ一覧入力手段と、
前記データ一覧入力手段から入力されたマルチメディアデータの一覧情報に対して限られた表示領域に部分的一覧情報を表示しユーザに操作対象を選択させる一覧データ処理手段と、
分割無しと、分割有りの分割指示を出力する分割指示手段と、
入力値を定数２から定数１０のいずれか１つの定数で除算する除算手段と、
前記除算手段での除算値を保持出力する情報保持手段と、
前記分割指示が分割無しであるとき前記一覧データ処理手段からの一覧データの総数情報を前記除算手段への入力値として選択し、前記分割指示が分割有りであるとき前記情報保持手段の保持値を前記除算手段への入力値として選択する入力選択手段と、
０から前記定数−１までの整数を入力する数字キー入力手段と、
前記除算手段での除算値に前記数字キー入力手段からの入力値を乗算する乗算手段と、
前記分割指示が分割無しであるとき前記乗算手段の乗算値をそのまま出力し、前記分割指示が分割有りであるとき前記乗算手段の乗算値に前記分割有りに切り替わる直前の出力値を加算する加算手段と、
前記加算手段の出力値に基づき前記一覧データ処理手段に一覧表示要求を行う項目位置入力手段と、を具備することを特徴とするマルチメディア再生装置。
【請求項５】
動画・静止画・音声・文字列等の１つ以上からなるマルチメディアデータの一覧情報を入力するデータ一覧入力手段と、
前記データ一覧入力手段から入力されたマルチメディアデータの一覧情報に対して限られた表示領域に部分的一覧情報を表示しユーザに操作対象を選択させる一覧データ処理手段と、
前方分割無しと、後方分割無しと、前方分割有りと後方分割有りの各分割指示を出力する分割指示手段と、
入力値を定数２から定数１０のいずれか１つの定数で除算する除算手段と、
前記分割指示が前方分割有りと後方分割有りであるとき前記除算手段での除算値を逐一保持出力する一方、前記分割指示が前方分割無しと、後方分割無しであるとき前記除算手段での初回除算値を保持出力する第１情報保持手段と、
前記分割指示が前方分割有りと後方分割有りであるとき前記一覧データ処理手段からの一覧データの総数情報を前記除算手段への入力値として選択し、前記分割指示が前方分割有りと後方分割有りであるとき前記第１情報保持手段の保持値を前記除算手段への入力値として選択する入力選択手段と、
０から前記定数−１までの整数を入力する数字キー入力手段と、
前記除算手段での除算値に前記数字キー入力手段からの入力値を乗算する乗算手段と、
前記分割指示が前方分割無しと、後方分割無しであるとき前記乗算手段の乗算値をそのまま出力し、前記分割指示が前方分割有りであるとき前記乗算手段の乗算値に入力値を加算して出力し、前記分割指示が後方分割有りであるとき前記乗算手段の乗算値から入力値を減算して出力する加減算手段と、
前記分割指示が前方分割有りと後方分割有りであるとき前記加減算手段の出力値を逐一保持し前記加減算手段への入力値として出力する一方、前記分割指示が前方分割無しと、後方分割無しであるとき前記加減算手段の初回出力値を保持し前記加減算手段への入力値として出力する第２情報保持手段と、
前記加減算手段の出力値に基づき前記一覧データ処理手段に一覧表示要求を行う項目位置入力手段と、を具備することを特徴とするマルチメディア再生装置。
【請求項６】
マルチメディアデータ再生に対しては請求項１から請求項３のいずれかに記載の構成を持ち、マルチメディアデータ情報一覧表示に対しては請求項４または請求項５に記載の構成を持つことを特徴とするマルチメディア再生装置。
【請求項７】
請求項１から請求項６のいずれかに記載されたマルチメディア再生装置を具備することを特徴とする携帯情報端末。
【発明の詳細な説明】
【技術分野】
【０００１】
本発明は、動画・静止画・音声・文字列等を含むマルチメディアデータを時間に関連付けて処理するマルチメディア再生装置及び携帯電話機を含む携帯情報端末に関する。
【背景技術】
【０００２】
マルチメディア再生装置では、MicroSoft（Ｒ）社のWindows（Ｒ） Media（ＴＭ） Player などのパーソナルコンピュータソフトウェアが用いられている。また、例えば、非特許文献１では、グラフィカルユーザインタフェースとしてスライドバーを用いて再生時間の表示とシーク時間の指定とを行うインタフェースが述べられている。以下、図５、図６を参照して従来のマルチメディア再生装置について説明する。なお、図５は、グラフィカルユーザインタフェースを用いた従来のマルチメディア再生装置の構成例を示すブロック図である。図６は、現在時刻から前後のシークだけが可能な従来のマルチメディア再生装置の構成例を示すブロック図である。
【０００３】
図５に示すマルチメディア再生装置は、データ入力部５０１と、マルチメディア再生部５０２と、総再生時間出力部５０３と、シーク位置決定部５０４と、二次元画像表示部５０５と、二次元位置情報入力部５０６と、シーク位置入力部５０７とを備えている。
【０００４】
以上の構成において、データ入力部５０１は、ファイルや、メモリ、ネットワークなどからマルチメディアデータを取得し、マルチメディア再生部５０２に渡す。マルチメディア再生部５０２は、マルチメディアデータに関する総再生時間情報を総再生時間出力部５０３に出力する。シーク位置決定部５０４には、総再生時間出力部５０３から総再生時間情報が入力され、また、マウスや、トラックボール、スタイラスペン等からなる二次元位置情報入力部５０６から二次元位置情報が入力される。
【０００５】
シーク位置決定部５０４は、総再生時間出力部５０３から総再生時間情報を受けて、二次元画像表示部５０５に全体の再生時間と現在再生時間とを元に表示を行う。また、シーク位置決定部５０４は、シーク位置入力部５０７に与えるシーク指定位置を、総再生時間を表現するのに用いた長さ情報に対する二次元位置情報から計算される長さ情報の比率に応じた比例関係で算出する。
【０００６】
シーク位置入力部５０７は、シーク位置決定部５０４からシーク位置情報が入力されると、マルチメディア再生部５０２に対してシーク位置要求を出力する。これにより、マルチメディア再生部５０２は、ユーザが指定した時間位置からマルチメディア再生を行う。
【０００７】
次に、図６は、携帯電話機用のマルチメディア再生装置の構成例である。図６に示すマルチメディア再生装置は、データ入力部６０１と、マルチメディア再生部６０２と、現在位置出力部６０３と、入力選択部６０４と、加減算部６０５と、シーク要求入力部６０６と、出力選択部６０７と、情報保持部６０８と、シーク位置入力部６０９とを備えている。
【０００８】
以上の構成において、データ入力部６０１は、ファイルや、メモリ、ネットワークなどからマルチメディアデータを取得し、マルチメディア再生部６０２に渡す。マルチメディア再生部６０２は、マルチメディアデータに関する現在再生位置情報を現在位置出力部６０３に出力する。
【０００９】
シーク要求入力部６０６は、入力選択部６０４と加減算部６０５と出力選択部６０７とに対して、要求キーが押下されている間は一定時間間隔でシーク要求指示を出力し続け、要求キーの押下が解除されたときに要求終了指示を出力する。
【００１０】
入力選択部６０４は、シーク要求入力部６０６の指示に従って現在位置出力部６０３の出力と情報保持部６０８の出力とを切り替えて加減算部６０５に出力する。具体的には、入力選択部６０４は、シーク要求入力部６０６から最初のシーク要求指示が入力したときは、現在位置出力部６０３からの情報を加減算部６０５に出力し、それ以降のシーク要求指示に対しては、情報保持部６０８の保持情報を加減算部６０５に出力し、シーク要求終了指示が入力された場合は、元の状態に戻し、再度のシーク要求入力部６０６からのシーク要求を受けて現在位置出力部６０３からの入力を選択する。
【００１１】
加減算部６０５は、入力選択部６０４からの情報にシーク要求入力部６０６からのシーク要求指示に基づき一定の値を加減算して出力選択部６０７に出力する。シーク要求入力部６０６が前方・後方の２種類のシーク要求指示を入力できる場合には、加減算部６０５は、前方シーク要求指示のときは加算し、後方シーク要求指示のときは減算する処理を行う。
【００１２】
出力選択部６０７は、シーク要求入力部６０６からシーク要求指示が入力すると加減算部６０５の出力を情報保持部６０８に出力し、シーク要求入力部６０６からシーク終了指示が入力すると加減算部６０５の出力をシーク位置入力部６０９に出力する。
【００１３】
シーク位置入力部６０９は、出力選択部６０７から情報が入力されると、マルチメディア再生部６０２に対してシーク位置要求を出力する。これにより、マルチメディア再生部６０２は、シーク位置入力部６０９からの情報に基づき最適な位置または時間からのマルチメディア再生を行う。
【非特許文献１】Microsoft(R) Windows(R) Media(TM) Player for Windows(R) XP Handbook（ISBN ０-７３５６-１４５５-５、１０/３１/２００１）
【発明の開示】
【発明が解決しようとする課題】
【００１４】
しかしながら、図５に示した従来のマルチメディア再生装置においては、任意のシーク位置・時間をユーザが指示できるというメリットはあるが、マウス等の二次元位置情報入力装置が携帯電話機などの小型機器では実現が難しい上に、実現できたとしても小型機器であるがゆえに正確に位置情報入力するために操作性が落ちるという問題がある。
【００１５】
また、図６に示した従来の携帯電話機用マルチメディア再生装置においては、キー入力だけで前後にシークできるメリットはあるが、コンテンツが長くなるとシークにかかる操作時間が長くなるという問題がある。
【００１６】
本発明は、かかる点に鑑みてなされたものであり、二次元位置情報入力装置を用いることなく簡単にシーク位置の選択操作が行えるとともに、マルチメディアデータが一度に表示できない程に多数である場合でも簡単に選択操作可能に表示できるマルチメディア再生装置及びそれを装備した携帯電話機を含む携帯情報端末を提供することを目的とする。
【課題を解決するための手段】
【００１７】
かかる課題を解決するため、本発明のマルチメディア再生装置は、動画・静止画・音声・文字列等の１つ以上からなるマルチメディアデータを入力するデータ入力手段と、前記データ入力手段から入力されたマルチメディアデータに対して再生・再生停止・一時停止・再生再開・シークなどの操作を提供するマルチメディア再生手段と、前記マルチメディア再生手段からの総再生時間情報を定数２から定数１０のいずれか１つの定数で除算する除算手段と、０から前記定数−１までの整数を入力する数字キー入力手段と、前記除算手段での除算値に前記数字キー入力手段からの入力値を乗算する乗算手段と、前記乗算手段での乗算値に基づき前記マルチメディア再生手段にシーク要求を行うシーク位置入力手段と、を具備する構成を採る。
【００１８】
この構成によれば、数字キーの指定だけでマルチメディアコンテンツの先頭、１０％の位置、２０％の位置など直感的に想像ができる位置へのシークを簡単に指示できるようになる。
【００１９】
本発明のマルチメディア再生装置は、動画・静止画・音声・文字列等の１つ以上からなるマルチメディアデータを入力するデータ入力手段と、前記データ入力手段から入力されたマルチメディアデータに対して再生・再生停止・一時停止・再生再開・シークなどの操作を提供するマルチメディア再生手段と、分割無しと、分割有りの分割指示を出力する分割指示手段と、入力値を定数２から定数１０のいずれか１つの定数で除算する除算手段と、前記除算手段での除算値を保持出力する情報保持手段と、前記分割指示が分割無しであるとき前記マルチメディア再生手段からの総再生時間情報を前記除算手段への入力値として選択し、前記分割指示が分割有りであるとき前記情報保持手段の保持値を前記除算手段への入力値として選択する入力選択手段と、０から前記定数−１までの整数を入力する数字キー入力手段と、前記除算手段での除算値に前記数字キー入力手段からの入力値を乗算する乗算手段と、前記分割指示が分割無しであるとき前記乗算手段の乗算値をそのまま出力し、前記分割指示が分割有りであるとき前記乗算手段の乗算値に前記分割有りに切り替わる直前の出力値を加算する加算手段と、前記加算手段の出力値に基づき前記マルチメディア再生手段にシーク要求を行うシーク位置入力手段と、を具備する構成を採る。
【００２０】
この構成によれば、マルチメディアコンテンツの総再生時間が長い場合に最初に例えば１０％刻みで選択した後に分割指示を出すことによって、総再生時間の例えば１／１０の時間をさらに細かい選択も可能となる。
【００２１】
本発明のマルチメディア再生装置は、動画・静止画・音声・文字列等の１つ以上からなるマルチメディアデータを入力するデータ入力手段と、前記データ入力手段から入力されたマルチメディアデータに対して再生・再生停止・一時停止・再生再開・シークなどの操作を提供するマルチメディア再生手段と、前方分割無しと、後方分割無しと、前方分割有りと、後方分割有りの各分割指示を出力する分割指示手段と、入力値を定数２から定数１０のいずれか１つの定数で除算する除算手段と、前記分割指示が前方分割有りと後方分割有りであるとき前記除算手段での除算値を逐一保持出力する一方、前記分割指示が前方分割無しと、後方分割無しであるとき前記除算手段での初回除算値を保持出力する第１情報保持手段と、前記分割指示が前方分割有りと後方分割有りであるとき前記マルチメディア再生手段からの総再生時間情報を前記除算手段への入力値として選択し、前記分割指示が前方分割有りと後方分割有りであるとき前記第１情報保持手段の保持値を前記除算手段への入力値として選択する入力選択手段と、０から前記定数−１までの整数を入力する数字キー入力手段と、前記除算手段での除算値に前記数字キー入力手段からの入力値を乗算する乗算手段と、前記分割指示が前方分割無しと、後方分割無しであるとき前記乗算手段の乗算値をそのまま出力し、前記分割指示が前方分割有りであるとき前記乗算手段の乗算値に入力値を加算して出力し、前記分割指示が後方分割有りであるとき前記乗算手段の乗算値から入力値を減算して出力する加減算手段と、前記分割指示が前方分割有りと後方分割有りであるとき前記加減算手段の出力値を逐一保持し前記加減算手段への入力値として出力する一方、前記分割指示が前方分割無しと、後方分割無しであるとき前記加減算手段の初回出力値を保持する第２情報保持手段と、前記加減算手段の出力値に基づき前記マルチメディア再生手段にシーク要求を行うシーク位置入力手段と、を具備する構成を採る。
【００２２】
この構成によれば、選択した位置の直前の位置をより簡単にシークできるようになる。
【００２３】
本発明のマルチメディア再生装置は、動画・静止画・音声・文字列等の１つ以上からなるマルチメディアデータの一覧情報を入力するデータ一覧入力手段と、前記データ一覧入力手段から入力されたマルチメディアデータの一覧情報に対して限られた表示領域に部分的一覧情報を表示しユーザに操作対象を選択させる一覧データ処理手段と、分割無しと、分割有りの分割指示を出力する分割指示手段と、入力値を定数２から定数１０のいずれか１つの定数で除算する除算手段と、前記除算手段での除算値を保持出力する情報保持手段と、前記分割指示が分割無しであるとき前記一覧データ処理手段からの一覧データの総数情報を前記除算手段への入力値として選択し、前記分割指示が分割有りであるとき前記情報保持手段の保持値を前記除算手段への入力値として選択する入力選択手段と、０から前記定数−１までの整数を入力する数字キー入力手段と、前記除算手段での除算値に前記数字キー入力手段からの入力値を乗算する乗算手段と、前記分割指示が分割無しであるとき前記乗算手段の乗算値をそのまま出力し、前記分割指示が分割有りであるとき前記乗算手段の乗算値に前記分割有りに切り替わる直前の出力値を加算する加算手段と、前記加算手段の出力値に基づき前記一覧データ処理手段に一覧表示要求を行う項目位置入力手段と、を具備する構成を採る。
【００２４】
この構成によれば、多数のマルチメディア一覧を簡単に選択操作可能に表示することができるようになる。
【００２５】
本発明のマルチメディア再生装置は、動画・静止画・音声・文字列等の１つ以上からなるマルチメディアデータの一覧情報を入力するデータ一覧入力手段と、前記データ一覧入力手段から入力されたマルチメディアデータの一覧情報に対して限られた表示領域に部分的一覧情報を表示しユーザに操作対象を選択させる一覧データ処理手段と、前方分割無しと、後方分割無しと、前方分割有りと、後方分割有りの各分割指示を出力する分割指示手段と、入力値を定数２から定数１０のいずれか１つの定数で除算する除算手段と、前記分割指示が前方分割有りと後方分割有りであるとき前記除算手段での除算値を逐一保持出力する一方、前記分割指示が前方分割無しと、後方分割無しであるとき前記除算手段での初回除算値を保持出力する第１情報保持手段と、前記分割指示が前方分割有りと後方分割有りであるとき前記一覧データ処理手段からの一覧データの総数情報を前記除算手段への入力値として選択し、前記分割指示が前方分割有りと、後方分割有りであるとき前記第１情報保持手段の保持値を前記除算手段への入力値として選択する入力選択手段と、０から前記定数−１までの整数を入力する数字キー入力手段と、前記除算手段での除算値に前記数字キー入力手段からの入力値を乗算する乗算手段と、前記分割指示が前方分割無しと、後方分割無しであるとき前記乗算手段の乗算値をそのまま出力し、前記分割指示が前方分割有りであるとき前記乗算手段の乗算値に入力値を加算して出力し、前記分割指示が後方分割有りであるとき前記乗算手段の乗算値から入力値を減算して出力する加減算手段と、前記分割指示が前方分割有りと後方分割有りであるとき前記加減算手段の出力値を逐一保持し前記加減算手段への入力値として出力する一方、前記分割指示が前方分割無しと、後方分割無しであるとき前記加減算手段の初回出力値を保持し前記加減算手段への入力値として出力する第２情報保持手段と、前記加減算手段の出力値に基づき前記一覧データ処理手段に一覧表示要求を行う項目位置入力手段と、を具備する構成を採る。
【００２６】
この構成によれば、選択した位置の直前の位置をより簡単に一覧表示可能となる。
【００２７】
本発明のマルチメディア再生装置は、請求項１から請求項３のいずれかに記載の構成を持ち、マルチメディアデータ情報一覧表示に対しては請求項４または請求項５に記載の構成を具備する。
【００２８】
この構成によれば、シーク操作と一覧表示操作とを簡単かつ効果的に行うことができるようになる。
【００２９】
本発明の携帯情報端末は、請求項１から請求項６のいずれかに記載の発明によるいずれかのマルチメディア再生装置を具備する構成を採る。
【００３０】
この構成によれば、簡単かつ効率的にマルチメディアデータの操作が行える携帯電話機を含む携帯情報端末が得られる。
【発明の効果】
【００３１】
本発明によれば、二次元位置情報入力装置を用いることなく、数字キーの操作だけで簡単にシーク位置の選択操作が行える。また、マルチメディアデータが一度に表示できない程に多数である場合でも数字キーの操作だけで簡単に選択操作可能に表示できる。したがって、本マルチメディア再生装置を実装した携帯電話機を含む携帯情報端末では、片手で持ったまま操作可能であるので、簡単かつ効率的にマルチメディアデータの操作が行えるようになる。
【発明を実施するための最良の形態】
【００３２】
本発明の骨子は、二次元位置情報入力装置を用いることなく簡単にシーク位置の選択操作が行えるとともに、マルチメディアデータが一度に表示できない程に多数である場合でも簡単に選択操作可能に表示できるようにし、携帯電話機を含む携帯情報端末に装備するのに好適なマルチメディア再生装置を得ることにある。
【００３３】
以下、本発明の実施の形態について図面を参照して詳細に説明する。
【００３４】
（実施の形態１）
図１は、本発明の実施の形態１に係るマルチメディア再生装置の構成を示すブロック図である。図１に示すマルチメディア再生装置は、データ入力部１０１と、データ入力部１０１の出力を受けるマルチメディア再生部１０２と、マルチメディア再生部１０２の出力を受ける総再生時間出力部１０３と、総再生時間出力部１０３の出力を受ける除算部１０４と、値０〜値９までの数字キーを備える数字キー入力部１０５と、除算部１０４の出力と数字キー入力部１０５の出力とを受ける乗算部１０６と、乗算部１０６の出力を受けて
マルチメディア再生部１０２にシーク要求を出力するシーク位置入力部１０７とを備えている。
【００３５】
次に、以上のように構成される実施の形態１に係るマルチメディア再生装置の動作について説明する。図１において、データ入力部１０１は、動画や静止画、音声、文字列等を含むマルチメディアデータを、ファイルやメモリ、ネットワークなどから取り込み、マルチメディア再生部１０２に出力する。マルチメディア再生部１０２は、入力されるマルチメディアデータに関する総再生時間情報を総再生時間出力部１０３に出力する。総再生時間出力部１０３は、入力される総再生時間情報を除算部１０４に出力する。
【００３６】
除算部１０４は、入力される総再生時間情報を定数である整数値１０で除算し、乗算部１０６に出力する。即ち、除算部１０４の出力値は、「総再生時間÷１０」である。乗算部１０６は、除算部１０４の出力値にユーザが数字キー入力部１０５にて選択した数字キーの値を乗算し、シーク位置入力部１０７に出力する。
【００３７】
例えば、ユーザが値３の数字キーを選ぶと、総再生時間÷１０×３の演算が行われ、総再生時間の３０％の値がシーク位置入力部１０７に出力される。シーク位置入力部１０７は、入力値をシーク位置としてマルチメディア再生部１０２を制御する。
【００３８】
マルチメディア再生部１０２は、データ入力部１０１から入力されるマルチメディアデータに対し再生、再生停止、一時停止、再生再開、シークなどの操作を提供するが、ユーザは、数字キー入力部１０５にて値０から値９までの数字キーを選ぶことによりマルチメディア再生部１０２でのシーク開始位置を選択することができる。
【００３９】
このように、本実施の形態１によれば、ユーザは、値０から値９までの数字キーを一回操作するだけで、マルチメディアコンテンツの先頭位置、１０％位置、２０％位置など直感的に分かり易い時間位置へのシーク指示を簡単に行うことができる。
【００４０】
（実施の形態２）
図２は、本発明の実施の形態２に係るマルチメディア再生装置の構成を示すブロック図である。なお、図２では、図１に示した構成と同一ないしは同等である構成要素には、同一の符号が付されている。ここでは、この実施の形態２に関わる部分を中心に説明する。
【００４１】
図２に示すように、本実施の形態２では、図１に示した構成において、分割指示部２０１と、情報保持部２０２、２０４と、入力選択部２０３と、加算部２０５とが追加されている。
【００４２】
分割指示部２０１は、シーク位置をより細かく指定するか否かを示す「分割有り」「分割無し」の分割指示を入力選択部２０３と加算部２０５とに与える。情報保持部２０２は
除算部１０４の除算値を保持して入力選択部２０３に出力する。
【００４３】
入力選択部２０３は、分割指示部２０１からの分割指示が「分割無し」であるか「分割有り」であるかに応じて、総再生時間出力部１０３の出力と情報保持部２０２の出力とを選択して除算部１０４に与える。
【００４４】
情報保持部２０４は、加算部２０５がシーク位置入力部１０７に与えるシーク位置情報を保持して加算部２０５に出力する。情報保持部２０４は、リセット要求によって初期値０の初期状態に戻るようになっている。
【００４５】
加算部２０５は、分割指示部２０１からの分割指示が「分割無し」である場合は乗算部１０６の乗算値をそのままシーク位置入力部１０７に出力し、「分割有り」である場合は乗算部１０６の乗算値に情報保持部２０４の保持値を加算してシーク位置入力部１０７に出力する。
【００４６】
次に、以上のように構成される実施の形態２に係るマルチメディア再生装置の動作について説明する。図２において、まず、分割指示部２０１は、「分割無し」を示す分割指示を入力選択部２０３と加算部２０５とに与える。
【００４７】
入力選択部２０３は、分割指示部２０１からの分割指示が「分割無し」である場合は、総再生時間出力部１０３が出力するマルチメディアデータに関する総再生時間情報を選択して除算部１０４に与える。
【００４８】
除算部１０４は、入力される総再生時間情報を整数値１０で除算し、その除算値「総再生時間÷１０」を乗算部１０６と情報保持部２０２とに出力する。情報保持部２０２は、入力する除算値「総再生時間÷１０」を保持し、入力選択部２０３に出力する。
【００４９】
乗算部１０６は、除算部１０４の出力値にユーザが数字キー入力部１０５にて選択した数字キーの値を乗算し、加算部２０５に出力する。加算部２０５は、分割指示部２０１からの分割指示が「分割無し」である場合は、乗算部１０６からの乗算値をそのままシーク位置入力部１０７に出力する。
【００５０】
その結果、初期状態（初期値０）にある情報保持部２０４には、今回、乗算部１０６が出力する乗算値が保持される。情報保持部２０４の保持値は加算部２０５に入力される。しかし、加算部２０５は、分割指示部２０１からの分割指示が「分割無し」であるので、情報保持部２０４に保持出力値を加算することはしない。
【００５１】
シーク位置入力部１０７は、今回、乗算部１０６が出力する乗算値を加算部２０５から受けて、マルチメディア再生部１０２にシーク位置要求を出力してシーク操作の制御を行い、実施の形態１（図１）での操作と同じことが実現できる。このとき、上記のように、情報保持部２０２には、総再生時間の１／１０の値が保持され、情報保持部２０４には、分割指示が「分割無し」であるときにシーク位置入力部１０７に出力された値が保持されている。
【００５２】
次に、シーク操作を行った直後に分割指示部２０１にて「分割有り」の分割指示を行うと、入力選択部２０３は、情報保持部２０２が保持する前回の除算値「総再生時間の１／１０」を選択して除算部１０４に出力する。
【００５３】
除算部１０４は、前回の除算値「総再生時間の１／１０」を整数値１０で除算し、それを乗算部１０６と情報保持部２０２とに出力する。情報保持部２０２は、入力する今回の除算値を保持し、入力選択部２０３に出力する。
【００５４】
乗算部１０６は、除算部１０４からの除算値と数字キー入力部１０５からの数値とを乗算し、加算部２０５に出力する。加算部２０５は、分割指示部２０１からの分割指示が「分割有り」であるので、乗算部１０６からの乗算値と情報保持部２０４が保持する前回出力値とを加算してシーク位置入力部１０７に出力する。
【００５５】
その結果、シーク位置入力部１０７では、「分割無し」の分割指示が出ている期間では
実施の形態１と同様に総再生時間の１／１０毎のシーク操作制御を行うが、「分割有り」の分割指示が出ると、総再生時間の１／１０の時間をさらに分割した位置でのシーク操作制御が行えるようになる。
【００５６】
このように、実施の形態２によれば、総再生時間を数字キーで分割し、それをさらに分割指示によって分割するので、実施の形態１よりもさらに細かいシーク位置選択が可能となる。分割指示は、連続して実行することができるので、ユーザは、必要に応じて詳細なシーク位置を選択することが可能である。この措置は、マルチメディアコンテンツの総再生時間が長い場合に特に有効である。
【００５７】
（実施の形態３）
図３は、本発明の実施の形態３に係るマルチメディア再生装置の構成を示すブロック図である。なお、図３では、図２に示した構成と同一ないしは同等である構成要素には、同一の符号が付されている。ここでは、この実施の形態３に関わる部分を中心に説明する。
【００５８】
図３に示すように、本実施の形態３では、図２に示した構成において、分割指示部２０１に代えて分割指示部３０１が設けられ、情報保持部２０２、２０４に代えて情報保持部３０２、３０３が設けられ、加算部２０５に代えて加減算部３０４が設けられている。
【００５９】
分割指示部３０１は、「前方分割無し」「後方分割無し」「前方分割有り」「後方分割有り」の４種類の分割指示が出せるようになっている。それらは、入力選択部２０３と情報保持部３０２、３０３と加減算部３０４とに与えられる。
【００６０】
入力選択部２０３は、分割指示が「前方分割無し」と「後方分割無し」である場合は、総再生時間出力部１０３の出力を選択し、分割指示が「前方分割有り」「後方分割有り」である場合は、情報保持部３０２の保持値を選択するようになっている。
【００６１】
情報保持部３０２、３０３は、分割指示が「前方分割無し」と「後方分割無し」である場合は、情報の更新は行わず、分割指示が「前方分割有り」「後方分割有り」である場合に情報の更新は行うようになっている。
【００６２】
加減算部３０４は、分割指示が「前方分割無し」と「後方分割無し」である場合は、乗算値をそのままシーク位置入力部１０７に与えるが、分割指示が「前方分割有り」である場合は、乗算値に情報保持部３０３の保持値を加算してシーク位置入力部１０７に与える一方、分割指示が「後方分割有り」である場合は、乗算値から情報保持部３０３の保持値を減算してシーク位置入力部１０７に与えるようになっている。
【００６３】
この構成によれば、後方分割指示の場合には、実施の形態２と同様の動作を行うが、前方分割指示の場合には、直前のシーク要求位置から指定した割合だけ戻った位置をシーク要求として処理できるので、例えば、総再生時間の１９％の位置へのシーク操作を行う場合、総再生時間の「２０％シーク」の結果から「１０％シーク」＋「分割９％シーク」なる選択操作を行うことなく、「前方分割１％シーク」の選択操作を行うだけで簡単に総再生時間の１９％の位置へのシーク操作が行える。
【００６４】
このように、実施の形態３によれば、選択したシーク位置の直前の位置をより簡単にシーク指示を行うことができるようになる。
【００６５】
（実施の形態４）
図４は、本発明の実施の形態４に係るマルチメディア再生装置の構成を示すブロック図である。なお、図４では、図２に示した構成と同一ないしは同等である構成要素には、同一の符号が付されている。ここでは、この実施の形態４に関わる部分を中心に説明する。
【００６６】
本実施の形態４では、図２に示した構成を利用して、マルチメディアデータの一覧をユーザに表示する場合の構成例（その１）が示されている。即ち、図４に示すように、本実施の形態４では、図２に示した構成において、データ入力部１０１に代えてデータ一覧入力部４０１が設けられ、マルチメディア再生部１０２に代えて一覧データ処理部４０２が設けられ、総再生時間出力部１０３に代えて総項目数出力部４０３が設けられ、シーク位置入力部１０７に代えて項目位置入力部４０４が設けられている。
【００６７】
データ一覧入力部４０１は、動画や静止画、音声、文字列等を含むマルチメディアデータの一覧情報を、ファイルやメモリ、ネットワークから取得して一覧データ処理部４０２に引き渡す。
【００６８】
一覧データ処理部４０２は、入力されたマルチメディアデータの一覧を限られた表示領域にユーザが選択操作可能に表示する。そして、一覧データ処理部４０２は、表示している一覧からユーザが選択した特定のマルチメディアデータに対して、ユーザの指示に従って再生データに関する情報を表示し、またデータの削除・編集などの機能を有している。一覧データ処理部４０２は、一覧データの総数を総項目数出力部４０３に出力する。
【００６９】
分割指示部２０１が入力選択部２０３と加算部２０５とに与える「分割有り」「分割無し」の分割指示は、本実施の形態４では、表示位置をより細かく指定するか否かを示すものとなる。また、入力選択部２０３から加算部２０５に至る処理ルートでは、実施の形態２にて説明した「総再生時間」を「一覧データの総数」と読み替える。
【００７０】
つまり、加算部２０５の出力を受ける項目位置入力部４０４では、加算部２０５の出力をユーザが表示開始の指定を行ったマルチメディアデータの先頭からの順番と判断して一覧データ処理部４０２に一覧表示要求として出力する。
【００７１】
この構成によれば、マルチメディアデータの全体総数に対す３０％や５０％等の位置にある項目をすばやく表示することが可能となる。具体的には、例えば、１０００件のマルチメディア一覧における５００番目ぐらいの位置にあるマルチメディアデータの情報を表示する場合、ページ単位での表示を行う従来の携帯電話機では、１ページ当たり１０件程度しか表示できないので、５０回ページ切り替えをしなければならない。
【００７２】
これに対して、本実施の形態４に係るマルチメディア再生装置を実装した携帯電話機では、１回で５０％程度の情報を表示することが可能となり、表示後の分割を使えばより少ない操作で目的のマルチメディア情報の表示を行うことが可能になる。
【００７３】
このように、実施の形態４によれば、一度に表示しきれないほどの数があるマルチメディアデータの一覧をユーザに表示する場合、ユーザが希望する項目をすばやく表示することが可能となる。
【００７４】
なお、マルチメディアデータの一覧をユーザに表示する構成例（その２）として、図３に示した構成を利用することもできる（これを「実施の形態５」と称する）。即ち、図３に示した構成において、データ入力部１０１に代えてデータ一覧入力部４０１を設け、マルチメディア再生部１０２に代えて一覧データ処理部４０２を設け、総再生時間出力部１０３に代えて総項目数出力部４０３を設け、シーク位置入力部１０７に代えて項目位置入力部４０４を設けるのである。この構成（実施の形態５）によれば、実施の形態４の効果に加えて、選択した位置の直前位置をより簡単に一覧表示できるようになる。
【００７５】
また、実施の形態１〜３のいずれか１つにて説明したマルチメディア再生装置と、実施の形態４、５のいずれか１つにて説明したマルチメディア再生装置とを装備すれば、シーク処理と一覧表示処理に関し、ユーザはより簡単で、かつ効果的な選択操作が行えるようになる。
【００７６】
また、実施の形態１〜５にて説明したマルチメディア再生装置は、携帯電話機に装備することができる。これによれば、片手で持って簡単にマルチメディアデータの操作を行うことができるマルチメディア再生機能付きの携帯電話機が得られる。
【００７７】
また、除算部１０４では、定数１０で除算するとしたが、その他、比率を直感的に理解し易い定数、例えば、２、３、４、５、６、７、８、９のいずれかの定数で除算するようにしてもよい。この場合には、数字キー入力部１０５は、「定数−１」の範囲の整数が入力できるように構成するとよい。
【産業上の利用可能性】
【００７８】
本発明は、片手で持って操作する携帯電話機を含む携帯情報端末においてマルチメディアデータを操作するのに好適である。
【図面の簡単な説明】
【００７９】
【図１】本発明の実施の形態１に係るマルチメディア再生装置の構成を示すブロック図
【図２】本発明の実施の形態２に係るマルチメディア再生装置の構成を示すブロック図
【図３】本発明の実施の形態３に係るマルチメディア再生装置の構成を示すブロック図
【図４】本発明の実施の形態４に係るマルチメディア再生装置の構成を示すブロック図
【図５】グラフィカルユーザインタフェースを用いた従来のマルチメディア再生装置の構成例を示すブロック図
【図６】現在時刻から前後のシークだけが可能な従来のマルチメディア再生装置の構成例を示すブロック図
【符号の説明】
【００８０】
１０１  データ入力部
１０２  マルチメディア再生部
１０３  総再生時間出力部
１０４  除算部
１０５  数字キー入力部
１０６  乗算部
１０７  シーク位置入力部
２０１、３０１  分割指示部
２０２、２０４、３０２、３０３  情報保持部
２０３  入力選択部
２０５  加算部
３０４  加減算部
４０１  データ一覧入力部
４０２  一覧データ処理部
４０３  総項目数出力部
４０４  項目位置入力部
【図１】
2005159664.tif 000003
【図２】
2005159664.tif 000004
【図３】
2005159664.tif 000005
【図４】
2005159664.tif 000006
【図５】
2005159664.tif 000007
【図６】
2005159664.tif 000008